(57)【要約】  【課題】  操作性に優れた、表示装置を備えた撮像装置を提供すること。  【解決手段】  本体の側面部に収納状態では映像表示面が本体側を向くように開閉可能に設けた映像表示装置を備え、前期映像表示装置の映像表示画面の裏側に前期画面と平行で前期画面に対応する範囲を包含するように位置検知装置を有し、前期位置検知装置へ接触した接触物の接触位置を検知し、接触位置によって所定の信号を出力する撮像装置において、前記映像表示装置の収納状態では前記位置検知装置の操作を受け付けないと共に、前記位置検知装置の接触位置を検知し、接触位置によって出力された信号による処理を実行するか決定する操作ボタンを前記映像表示装置の映像表示面側で且つ、前記映像表示装置の端部に設けた構成とした。【選択図】  図２
2012113263.tif 000002
【特許請求の範囲】
【請求項１】
本体の側面部に収納状態では映像表示面が本体側を向くように開閉可能に設けた映像表示装置を備え、前期映像表示装置の映像表示画面の裏側に前期画面と平行で前期画面に対応する範囲を包含するように位置検知装置を有し、前期位置検知装置へ接触した接触物の接触位置を検知し、接触位置によって所定の信号を出力する撮像装置において、前記映像表示装置の収納状態では前記位置検知装置の操作を受け付けないことを特徴とする撮像装置。
【請求項２】
本体の側面部に収納状態では映像表示面が本体側を向くように開閉可能に設けた映像表示装置を備え、前期映像表示装置の映像表示画面の裏側に前期画面と平行で前期画面に対応する範囲を包含するように位置検知装置を有し、前期位置検知装置へ接触した接触物の接触位置を検知し、接触位置によって所定の信号を出力する撮像装置において、前記位置検知装置の接触位置によって出力された信号による処理を実行するか決定する操作ボタンを設けたことを特徴とする撮像装置。
【請求項３】
前記操作ボタンは前記映像表示装置の映像表示面側に配置されることを特徴とする請求項２に記載の撮像装置。
【請求項４】
前記操作ボタンは前記映像表示装置の端部に設けられたことを特徴とする請求項２に記載の撮像装置。
【発明の詳細な説明】
【技術分野】
【０００１】
本発明はビデオカメラ装置あるいはデジタルスチルカメラ装置等の撮像装置に関し、特に、開閉可能な映像表示装置を備えた撮像装置に関するものである。
【背景技術】
【０００２】
近年、ビデオカメラの小型化は目覚ましく、ビデオカメラ本体の大きさ（各面の投影面積）は減少する傾向にある。このため、ビデオカメラを操作するためのボタンの配置可能な場所も制約されてきている。しかしその反面、多機能化やデザインの差別化により操作ボタンの数はむしろ増加する傾向にある。また、操作性の面から考えると、多数の操作ボタンがただ整然と並んでいたのでは、ビデオカメラの操作性が著しく劣ってしまう。特にビデオカメラの背面側に電源を供給するバッテリーパックが装着される場合が多いため、操作性の面からビデオカメラの背面に配置し、撮影中でも操作ボタンを目視しながら操作可能な操作ボタンを配置可能な場所がなくなっている。
【０００３】
また撮影時や再生時にモニターの見易さのためにバックライト付きの液晶パネルなどの大型表示装置が備えられることが多い。そしてこの表示装置は回転可能に設けられ、収納時には本体に設けられた凹部に収納されているが、使用時には本体から離れるように回転し、表示画面をモニターできるようになる。よって撮影時には撮像装置の電源スイッチを入れて、表示装置を本体から離れるように回転させると、表示装置の表示画面をモニターしながら撮影できる。そして定点観測などで長時間撮影する場合は、バッテリーパックの電池を長持ちさせるために、表示装置を収納状態とし、表示装置の電源を切り、省電力化する必要がある。
【０００４】
そこで映像表示面の表示パネル上にタッチパネルを構成し、表示パネルで操作ボタンを表示させた上で、表示されたボタンに触れるとボタンに割り当てられた機能の入力を受け付けることのできる撮像装置が提案されている。
【０００５】
しかしながら、上記の構成では、撮影中でも操作ボタンを目視しながら操作可能だが、操作ボタンを操作する場合に、表示パネルに直接指で触れるために表示面が汚れると言う問題がある、汚れがひどくなれば表示面の映像も見えづらくなってしまう。
【０００６】
更に表示パネルに表示させる操作ボタンは操作性上、指よりも大きくする必要があり、数種類の操作ボタンを表示させると映像が見えなくなってしまう、またタッチパネルの操作中は指で映像が見えなくなってしまうという問題も有している。
【０００７】
このため例えば特許文献１には、表示装置と所定の位置検出領域を有する操作面を有し、当該位置検知領域に接触した接触物の接触位置を検知し、当該接触位置を示す信号を出力する位置検知装置を備え、位置検知装置の操作面は表示装置の表示画面と指向方向が逆になるように平板形状の表示装置の一方の面及び他方の面を形成している。すなわち表示装置の表面と裏面に表示画面と位置検知装置の操作面が配置されている。さらに位置検知領域は表示画面を包含するように設けられ、位置検知装置の接触位置を示す信号に基づいて、接触位置に対応する表示画面の対応する位置を検知する画面位置検出手段を有する位置入力装置が提案されている。
【先行技術文献】
【特許文献】
【０００８】
【特許文献１】特開２００５−６２５６３号公報
【発明の概要】
【発明が解決しようとする課題】
【０００９】
しかしながら、上記の特許文献１では、操作時に直接、表示パネルに触れるために表示面が汚れることや、汚れによって表示面の映像が見づらくなってしまうことや、タッチパネルの操作中に指で表示パネルの映像が見えなくなると言う問題は解決できるが、撮影中に位置検知装置（タッチパネル）を不用意に押してしまうという問題を有している。
【００１０】
また本体の側面部に収納状態では映像表示面が本体側を向くように開閉可能に設けた構成のビデオカメラ装置に関してはまったく触れておらず、操作性の配慮に関して一切配慮されていない。
【００１１】
すなわち、撮影中に表示装置を収納状態とした場合にタッチパネルはビデオカメラ本体の外側を向くことになるため、不用意にタッチパネルに触れてしまい、ビデオカメラ装置が意図せぬ処理を実行してしまうことがある。また撮影中にタッチパネルを操作しようとすると、しっかりとビデオカメラをホールディングすることが困難で手振れにより、ぶれた映像を記録してしまう。
【００１２】
本発明では、上記の点に着目して成されたもので、不用意に誤動作を起こすことなく、しっかりとホールディングしながら撮影できる、まことに操作性に優れた撮像装置を提供することを目的とする。
【課題を解決するための手段】
【００１３】
本発明は、下記構成を備えることにより上記課題を解決できるものである。
(１)本体の側面部に収納状態では映像表示面が本体側を向くように開閉可能に設けた映像表示装置を備え、前期映像表示装置の映像表示画面の裏側に前期画面と略平行で前期画面に対応する範囲を包含するように位置検知装置を有し、前期位置検知装置へ接触した接触物の接触位置を検知し、接触位置によって所定の信号を出力する撮像装置において、前記映像表示装置の収納状態では前記位置検知装置の操作を受け付けないことを特徴とする撮像装置。
【００１４】
(２)本体の側面部に収納状態では映像表示面が本体側を向くように開閉可能に設けた映像表示装置を備え、前期映像表示装置の映像表示画面の裏側に前期画面と略平行で前期画面に対応する範囲を包含するように位置検知装置を有し、前期位置検知装置へ接触した接触物の接触位置を検知し、接触位置によって所定の信号を出力する撮像装置において、前記位置検知装置の接触位置によって出力された信号による処理を実行するか決定する操作ボタンを設けたことを特徴とする撮像装置。
【００１５】
(３)前記操作ボタンは前記映像表示装置の映像表示面側に配置されることを特徴とする前記(２)記載の撮像装置。
【００１６】
(４)前記操作ボタンは前記映像表示装置の端部に設けられたことを特徴とする前記(２)記載の撮像装置。
【発明の効果】
【００１７】
以上説明したように、本発明によれば、本体の側面部に収納状態では映像表示面が本体側を向くように開閉可能に設けた映像表示装置を備え、前期映像表示装置の映像表示画面の裏側に前期画面と略平行で前期画面に対応する範囲を包含するように位置検知装置を有し、前期位置検知装置へ接触した接触物の接触位置を検知し、接触位置によって所定の信号を出力する撮像装置において、前記映像表示装置の収納状態では前記位置検知装置の操作を受け付けないと共に、前記位置検知装置の接触位置を検知し、接触位置によって出力された信号による処理を実行するか決定する操作ボタンを前記映像表示装置の映像表示面側で且つ、前記映像表示装置の端部に設けた構成としたため、映像表示装置の収納状態でも不用意な操作をしてしまう恐れがなく、しっかりとビデオカメラをホールディングしたまま操作できるため、手振れを起こさない、まことに操作性に優れた撮像装置を提供することができる。
【図面の簡単な説明】
【００１８】
【図１】本発明によるビデオカメラの表示装置を収納した状態を示す後方斜視図
【図２】本発明によるビデオカメラの一使用例の撮影状態を示す後方斜視図
【図３】本発明によるビデオカメラを示す部分斜視図
【図４】本発明によるビデオカメラの一使用例の撮影状態を示す後方斜視図
【図５】本発明によるビデオカメラの構成の一例を示す分解斜視図
【図６】本発明によるビデオカメラの構成の一例を示す分解斜視図
【発明を実施するための形態】
【００１９】
以下本発明を実施するための最良の形状を、実施例により詳しく説明する。
【００２０】
［実施例］
本発明による撮像装置の実施の形態を開閉可能に設けた映像表示装置を備えたビデオカメラ装置を例にとって、図１及び図２を用いて説明する。
【００２１】
図１は本発明によるビデオカメラの表示装置を収納した状態を示す後方斜視図、図２は本発明によるビデオカメラの一使用例の撮影状態を示す後方斜視図である。
【００２２】
図中、１は撮像レンズ、２は記録媒体が装着される装着部で、撮像レンズ１の横にレイアウトされ撮影時のグリップとなる、３は本体に電源を供給するためのバッテリーパックでビデオカメラ本体８の背面部に着脱可能に備えられている、４はズームレバー、５はトリガーボタンである。
【００２３】
６は表示装置で撮影レンズ１の側方に配置され、その側辺部６ａがビデオカメラ本体８に対して水平方向に回転可能に連結されている。７は回転式の電源スイッチで矢印Ａ方向に回転させると撮影モード、矢印Ｂ方向に回転させると再生モードとなる。そして電源スイッチ７は表示装置６のビデオカメラ本体８と連結された側辺部６ａと対向する反対側の端部で、表示装置６が収納状態でも電源スイッチ７がビデオカメラ本体８から露出して操作可能な位置に備えられている。
【００２４】
また電源スイッチ７は回転操作を規制するロック部材９が設けられている。このロック部材９を電源スイッチ７の回転中心方向に押圧操作すると電源スイッチ７は回転可能となる。
【００２５】
すなわち撮影時には、表示装置６を図１の収納状態から電源スイッチ７に設けられたロック部材９を指で押圧操作しながら矢印Ａ方向に電源スイッチ７を回転して、ビデオカメラ本体８を撮影モードとした状態のまま、表示装置６を水平方向に展開すると、表示装置６の液晶パネルが６ｂが撮影者に対向する（図２の状態）ので、撮影者は撮像画像をモニターすることができる。そして撮影者はズームレバー４で任意の画角を選択し、トリガーボタン５で撮影の開始、停止を制御しながら撮影できる。撮影終了時には電源スイッチ７の周辺部を操作し表示装置６を回転させて収納状態に戻し、そのまま電源スイッチ７を回転させてビデオカメラ本体８の電源を切ることができる。
【００２６】
また撮影中に表示装置６を回転させて収納状態に戻すと、液晶パネル６ｂの電源が切れて省電力化することが可能で、バッテリーパック３を長持ちさせることができる。
【００２７】
そして表示装置６の液晶パネル６ｂ面の裏側には液晶パネル６と略平行で且つ、液晶パネル６ｂの画面に対応する範囲を包含するように、タッチパネル６ｃが備えられている。すなわち、表示装置の収納状態では、タッチパネル６ｃはビデオカメラ本体８の外側となる。
【００２８】
ここで、図３を用いて表示装置６の開閉検知機構に関して説明する。図３はヒンジ機構３０によって開閉可能に設けられた表示装置６を開いた状態を示している。この時、フレキシブ基板３１に実装された検知スイッチ３２はオープン状態となっている。そして表示装置６を閉じると表示装置６の回転と連動するように設けられてるヒンジカバー３３が回転し、ヒンジカバー３３に形成されたリブ３３ａによって検知スイッチ３２の爪部３２ａが押し圧される。すると検知スイッチ３２はクローズ状態となる。
【００２９】
更にフレキシブ基板３１は図示せぬ本体部の信号処理回路基板に接続され、検知スイッチ３２のオープン、クローズの情報が伝えられる。よって表示装置６の開閉状態を検知できるようになっている。そして、表示装置６の収納状態では、液晶パネル６ｂの電源を切ると同時に、タッチパネル６ｃに接触してもビデオカメラ本体８は信号を受けつけなくなる。
【００３０】
したがって表示装置６の収納時にビデオカメラ本体８の外側となってしまうタッチパネル６ｃに不用意に接触してしまってもビデオカメラ本体８が誤動作してしまうことはない。
【００３１】
また電源スイッチ７の回転軸と垂直で液晶パネル６の映像表示面６ｂ側でなおかつ電源スイッチ７の回転中心と略同一な位置にプッシュボタン１０が配置されるとともに、電源スイッチ７を挟んでプッシュボタン１０の反対側にエンドレスに回転可能なダイヤル１１が備えられている。ビデオカメラ本体８の各種設定を変更する場合はプッシュボタン１０を押圧操作すると、液晶パネル６ｂに複数の操作ボタンアイコン３５が表示される、この時に液晶パネル６ｂの裏側に設けられたタッチパネル６ｃに接触すると、接触した位置の信号がビデオカメラ本体８に伝わり、図示せぬ信号処理回路によって、タッチパネル６ｃの接触した位置の真裏の位置にあたる液晶パネル６ｂに矢印などのアイコンを表示させる。すなわち選択したい液晶パネル６ｂに表示された操作ボタンアイコン３５の真裏の位置に接触すると、操作ボタンアイコン３５に重なって矢印アイコン３６が表示される。この時にプッシュボタン１０を押圧操作すると、操作ボタンアイコン３５に割り当てられた所定の処理を実行する。また操作ボタンアイコン３５に割り当てられた所定の処理によっては、操作ボタンアイコン３５を押圧操作した後、ダイヤル１１を回転操作することによってフォーカスの調整や露出の調整を行うことが可能である。
【００３２】
通常の撮影動作では、図４に示すように表示装置６の端部を、親指４０が液晶パネル６ｂ側で、その他の指４１がタッチパネル６ｃ側になるように表示装置６を保持すると、ビデオカメラ本体８がしっかりとホールドできて、ぶれない映像が撮影できるが、この状態を保持したままでプッシュボタン１０の押圧操作とタッチパネル６ｃの任意の位置への接触が可能となり、撮影者は撮影時に最小限の指の移動により多種多様な操作が可能となる。
【００３３】
以下、図５及び図６の分解斜視図において本発明によるビデオカメラの具体的構成の一例を説明する。
【００３４】
表示装置６はパネル上カバー１５及びパネル下カバー１８によって、液晶パネル６ｂ、バックライトユニット１６、プリント基板１９が挟みこまれ保持される構成になっているとともに、表示装置６の端部に電源スイッチ７などの操作スイッチ機構も組み込まれ保持されている。この時パネル下カバー１８側が表示面側となりパネル下カバー１８に設けられた角穴１８ｃより液晶パネル６ｂの画像をモニターすることができる。
【００３５】
電源スイッチ７は中空で円筒形状の保持部７ａと凸形状の操作部７ｂ及び扇状のクリック部７ｃから形成されている。そして略楕円形状に形成されたロック部材９が電源スイッチ７の操作部７ｂに設けられた長穴７ｄと、ロック部材９の凸形状操作部９ａが係合するように組み込まれる。よって、ロック部材９を電源スイッチ７の回転中心方向に押圧操作するとロック部材９は略楕円形状に形成されているために弾性変形し係合部でスライド操作可能となる。次に電源スイッチ７の中空で円筒形状の保持部７ａと回転可能に係合する円筒形状の固定部材１２が組み込まれる。固定部材１２の反対側には信号出力器として、所定の回転ピッチごとにパルスを発生するパルスエンコーダ１３が実装されたプリント基板１４が設けられている。このパルスエンコーダ１３は中心部に多角形の穴１３ａが形成されている、この多角形の穴１３ａと回転ダイヤル１１に設けられた多角形の回転軸１１ａの先端部が係合することによって、回転ダイヤル１１の回転がエンコーダ１３に伝達される。エンコーダ１３によって発生したパルス信号はプリント基板１４から図示せぬ電気信号配線によってビデオカメラ本体に伝えられる。この時、回転ダイヤル１１は固定部材１２の電源スイッチ７と係合している側とは反対側で回転可能な係合関係にありながら、回転ダイヤル１１の回転軸１１ａは固定部材１２の穴１２ａ、ロック部材９の略楕円部、電源スイッチ７の中空な円筒形状の保持部７ａを貫通してエンコーダ１３の多角形の穴１３ａと係合している。そして回転ダイヤル１１の一部はパネル上カバー１５から円周の一部が露出するように組み込まれ、回転操作が可能となる。
【００３６】
また中央部に凸部を設けたクリックバネ２０はパネル上カバー１５に設けられたダボ１５ａと略Ｌ字状に形成された両端部の穴部２０ａが溶着され、固定される。そしてクリックバネ２０の凸部と電源スイッチ７の扇状のクリック部７ｃによってクリック機構が構成される。さらに電源スイッチ７の扇状のクリック部７ｃにはコの字状の凸部７ｅが形成されており、電源スイッチ７を回転させるとコの字状の凸部によってプリント基板１９に実装された検知スイッチ２１が押圧操作される。この検知スイッチ２１は押圧操作の方向を認識できるものであり、電源スイッチ７が撮影モード方向あるいは再生モード方向のどちらかに回転されたのか認識可能となる。検知スイッチ２１で認識した信号がプリント基板１９から図示せぬ電気信号配線によってビデオカメラ本体に伝えられ、ビデオカメラは所定のモードとなる。電源スイッチ７はクリック機構が設けられているため不用意に電源スイッチ７が回転してしまい、検知スイッチ２１の信号が途絶えてしまうことはない。
【００３７】
そしてエンコーダ１３が実装されたプリント基板１４のエンコーダ１３が実装された面とは反対の面にタクトスイッチ２２が実装されている、この時エンコーダ１３とタクトスイッチ２２の中心は、ほぼ一致している。そしてタクトスイッチ２２は中央部に角状のダボ２２ａが設けられており、プッシュボタン１０に設けられた角穴１０ａと勘合する。よってプッシュボタン１０を押圧操作すると、タクトスイッチ２２が押されて信号がプリント基板１４から図示せぬ電気信号配線によってビデオカメラ本体に伝えられる。そしてパネル下カバー１８に設けられた丸穴１８ａから露出するようにプッシュボタン１０は組み込まれる。
【００３８】
さらに、パネル上カバー１５に液晶パネル６ｂの画面に対応する範囲を包含するよう設けられた凹部１５ｂにタッチパネル６ｃが貼り付けられている。そしてタッチパネル６ｃの下端部にはフレキシブ基板６ｄが設けられ、このレキシブ基板６ｄがパネル上カバー１５に設けられた各穴１５ａを通り、プリント基板１９に接続され、タッチパネル６ｃの接触した位置信号がプリント基板１９から図示せぬ電気信号配線によってビデオカメラ本体に伝えられる。
【符号の説明】
【００３９】
１‥‥撮像レンズ
２‥‥装着部
３‥‥バッテリーパック
４‥‥ズームレバー
５‥‥トリガーボタン
６‥‥表示装置
７‥‥電源スイッチ
８‥‥ビデオカメラ本体
９‥‥ロック部材
１０‥プッシュボタン
１１‥回転ダイヤル
１２‥固定部材
１３‥パルスエンコーダ
１４‥プリント基板
１５‥パネル上カバー
１６‥バックライトユニット
１７‥液晶ユニット
１８‥パネル下カバー
１９‥プリント基板
２０‥クリックバネ
２１‥検知スイッチ
２２‥タクトスイッチ
３０‥ヒンジ機構
３１‥フレキシブ基板
３２‥検知スイッチ
３３‥ヒンジカバー
【図１】
2012113263.tif 000003
【図２】
2012113263.tif 000004
【図３】
2012113263.tif 000005
【図４】
2012113263.tif 000006
【図５】
2012113263.tif 000007
【図６】
2012113263.tif 000008